(57)【要約】【課題】作物の収穫量を増大する土壌流出防止材の提供。【解決手段】（１）合成樹脂エマルジョン、及び、（２）アミノ酸、核酸及び糖のうちの１種以上を含有する土壌流出防止材。（１）合成樹脂エマルジョン、（２）アミノ酸、核酸及び糖のうちの１種以上、及び、（３）ポリビニルアルコールを含有する土壌流出防止材。（２）ポリビニルアルコール及び（３）アミノ酸、核酸及び糖のうちの１種以上を含有する土壌流出防止材。合成樹脂エマルジョン及びアミノ酸を含有する土壌流出防止材。【選択図】図１
2020114890.tif 000002
【特許請求の範囲】
【請求項１】
（１）合成樹脂エマルジョン、及び、（２）アミノ酸、核酸及び糖のうちの１種以上を含有する土壌流出防止材。
【請求項２】
（１）合成樹脂エマルジョン、（２）アミノ酸、核酸及び糖のうちの１種以上、及び、（３）ポリビニルアルコールを含有する土壌流出防止材。
【請求項３】
ポリビニルアルコールの使用量が、合成樹脂エマルジョン１００質量部（固形分）に対して、固形分換算で、０．５〜２０質量部である請求項２記載の土壌流出防止材。
【請求項４】
合成樹脂エマルジョンがエチレン−酢酸ビニル共重合体である請求項１又は２記載の土壌流出防止材。
【請求項５】
アミノ酸、核酸及び糖のうちの１種以上の使用量が、合成樹脂エマルジョン１００質量部（固形分）に対して、固形分換算で、０．００４〜１質量部である請求項１〜４のうちの１項記載の土壌流出防止材。
【請求項６】
（２）ポリビニルアルコール及び（３）アミノ酸、核酸及び糖のうちの１種以上を含有する土壌流出防止材。
【請求項７】
アミノ酸、核酸及び糖のうちの１種以上の使用量が、ポリビニルアルコール１００質量部（固形分）に対して、固形分換算で、０．００４〜１質量部である請求項６記載の土壌流出防止材。
【請求項８】
アミノ酸、核酸及び糖のうちの１種以上が水溶液である請求項１〜７のうちの１項記載の土壌流出防止材。
【請求項９】
土壌が赤土である請求項１〜８のうちの１項記載の土壌流出防止材。
【請求項１０】
赤土が酸性である請求項９項記載の土壌流出防止材。
【請求項１１】
土壌流出防止材（固形分）１００質量％中における、合成樹脂エマルジョンの含有量が８０〜９８．５質量％であり、ポリビニルアルコールの含有量が０．３〜２０質量％であり、アミノ酸の含有量が０．００２〜２質量％である請求項２記載の土壌流出防止材。
【請求項１２】
請求項１〜１１の何れか１項に記載の土壌流出防止材を土壌に散布する土壌流出防止方法。
【請求項１３】
土壌流出防止材の使用量が圃場１ｍ２あたり２００〜５０００ｇ／ｍ２であり、水で希釈して使用する請求項１２に記載の土壌流出防止方法。 
【発明の詳細な説明】
【技術分野】
【０００１】
本発明は、土壌流出防止材に関する。
【背景技術】
【０００２】
農耕地では目的とする作物以外の植物は、一般的に雑草として処理するため地表が剥き出しになっている場所が多い。そのような耕作地は降雨等により表面の土壌が侵食され、雨水と同時に表層の土壌が流れるといった、土壌浸食及び土壌流出の課題があった。流出した土壌は水質汚濁や土壌堆積により、河川及び海洋生物の生育を阻害していた。
そこで、耕作地の周囲に土壌流出を抑制するための植生帯（グリーンベルト）を設置して、表層を流れた土壌をグリーンベルトで捕まえ土壌の流出を減少させる方法が取られてきた。
しかしながら、グリーンベルトによる土壌の流出防止は耕作面積が減少し、耕作者にとって不利益になることから、採用されていない。
【０００３】
更に、土木現場等で土壌の流出防止のために土壌の表面に合成樹脂を散布し皮膜を作ることにより、雨水が樹脂表面上を流れ降雨による土壌表面の侵食を防ぐ方法がとられている。
【０００４】
合成樹脂としては、酢酸ビニルと共重合し得るアクリル酸エステル、エチレン等のビニル系単量体を共重合し、内部可塑化された比較的柔軟な皮膜を形成する水溶性エマルジョンが用いられてきた。
この水溶性エマルジョンを製造するに当たっては、酢酸ビニルと疎水性の高い上記ビニル系単量体を安定に共重合するために、アニオン系、カチオン系、ノニオン系界面活性剤等の乳化剤の使用、若しくはポリビニルアルコール（以下、ＰＶＡ）等の水溶性高分子の保護コロイドの使用が必要であった（特許文献１参照）。
しかしながら、合成樹脂によって土壌表面に皮膜を形成すると、作物の根圏への給水が抑制され作物の生育が抑制乃至枯死するため、耕作地で採用できない（特許文献１参照）。
【０００５】
合成樹脂エマルジョンを含む土壌侵食防止剤であって、前記エマルジョンは、固形分率が３０〜７０質量％であり、且つ前記エマルジョン中の固形分率が４０質量％になるように水分量を調整した上で、３０℃で測定した粘度が５０ｍＰａ・ｓ以下である、土壌侵食防止剤が提案されている（特許文献２参照）。
しかしながら、特許文献２は、アミノ酸について記載がない。
【０００６】
アミノ酸は、有機肥料の原料として使用されており、各種アミノ酸の混合物からなる。具体的には、動物由来のコラーゲン（特に皮革や、皮下脂肪組織の脱脂品）を高温高圧にて分解し、アミノ酸、ペプタイドに加工したもの；動物由来のケラチン（例えば羊毛短繊維や羽毛）を高温高圧にて分解し、アミノ酸、ペプタイドに加工したもの；小麦グルテン、とうもろこしグルテン、脱脂大豆等の植物タンパク質を加水分解して、グルタミン酸を主体とする調味液を抽出する際に産するアミノ酸等が挙げられる。以上を単独で使用してもよいし、２種類以上を使用してもよい。これについては、固形物でもよいし水溶液（以下、アミノ酸水溶液という）でもよい。アミノ酸は、アミノ酸肥料として販売されているものを使用できる（特許文献３参照）。
しかしながら、特許文献３は、用途が植物活性剤であり、土壌侵食防止剤ではない。
【先行技術文献】
【特許文献】
【０００７】
【特許文献１】特開昭５７−５９９８３号公報
【特許文献２】国際公開第２０１５／１２２３３３号公報
【特許文献３】特開２０１３−８２６４０号公報
【発明の概要】
【発明が解決しようとする課題】
【０００８】
本発明が解決しようとする課題は、作物の収穫量を増大する土壌流出防止材を提供することである。
【課題を解決するための手段】
【０００９】
本発明は、（１）合成樹脂エマルジョン、及び、（２）アミノ酸、核酸及び糖のうちの１種以上を含有する土壌流出防止材であり、（１）合成樹脂エマルジョン、（２）アミノ酸、核酸及び糖のうちの１種以上、及び、（３）ポリビニルアルコールを含有する土壌流出防止材であり、ポリビニルアルコールの使用量が、合成樹脂エマルジョン１００質量部（固形分）に対して、固形分換算で、０．５〜２０質量部である該土壌流出防止材であり、  合成樹脂エマルジョンがエチレン−酢酸ビニル共重合体である該土壌流出防止材であり、アミノ酸、核酸及び糖のうちの１種以上の使用量が、合成樹脂エマルジョン１００質量部（固形分）に対して、固形分換算で、０．００４〜１質量部である該土壌流出防止材であり、（２）ポリビニルアルコール及び（３）アミノ酸、核酸及び糖のうちの１種以上を含有する土壌流出防止材であり、アミノ酸、核酸及び糖のうちの１種以上の使用量が、ポリビニルアルコール１００質量部（固形分）に対して、固形分換算で、０．００４〜１質量部である該土壌流出防止材であり、アミノ酸、核酸及び糖のうちの１種以上が水溶液である該土壌流出防止材であり、土壌が赤土である該土壌流出防止材であり、赤土が酸性である該土壌流出防止材であり、土壌流出防止材（固形分）１００質量％中における、合成樹脂エマルジョンの含有量が８０〜９８．５質量％であり、ポリビニルアルコールの含有量が０．３〜２０質量％であり、アミノ酸の含有量が０．００２〜２質量％である該土壌流出防止材であり、該土壌流出防止材を土壌に散布する土壌流出防止方法であり、土壌流出防止材の使用量が圃場１ｍ２あたり２００〜５０００ｇ／ｍ２であり、水で希釈して使用する該土壌流出防止方法である。
【発明の効果】
【００１０】
本発明は、作物の収穫量を増大する土壌流出防止材を提供できる。
【図面の簡単な説明】
【００１１】
【図１】図１は本発明の試験を実施した圃場の断面模式図である。
【発明を実施するための形態】
【００１２】
以下、本発明の各構成につき詳細に説明する。固形分は、以下、不揮発分ということもある。
本発明は、下記（１）〜（３）の実施形態を示す土壌流出防止材である。
（１）合成樹脂エマルジョン及びアミノ酸を含有する土壌流出防止材。
（２）合成樹脂エマルジョン、ポリビニルアルコール及びアミノ酸を含有する土壌流出防止材。
（３）ポリビニルアルコール及びアミノ酸を含有する土壌流出防止材。
【００１３】
本実施形態に使用する合成樹脂エマルジョンとしては、水溶性エマルジョン（以下、水溶性エマルジョンということもある）が好ましい。
【００１４】
水溶性（以下、水性ということもある）エマルジョンに使用する水性樹脂としては、酢酸ビニル、酢酸ビニル共重合体、（メタ）アクリル酸エステル、スチレン−（メタ）アクリル酸エステル共重合体、スチレン−ブタジエン共重合体、ビニリデン樹脂、ポリブテン樹脂、（メタ）アクリロニトリル−ブタジエン樹脂、（メタ）アクリレート−ブタジエン樹脂、アスファルト、エポキシ樹脂、ウレタン樹脂、シリコン樹脂等が挙げられる。酢酸ビニル共重合体としては、酢酸ビニルとエチレン性不飽和単量体の共重合体が好ましい。エチレン性不飽和単量体の中では、エチレンが好ましい。これらの中では、酢酸ビニルとエチレン性不飽和単量体の共重合体が好ましく、エチレン−酢酸ビニル共重合体がより好ましい。
【００１５】
酢酸ビニルと共重合し得るエチレン性不飽和単量体としては、例えば、エチレン、プロピレン、イソブチレン等のオレフィン、塩化ビニル、フッ化ビニル、ビニリデンクロリド、ビニリデンフルオリド等のハロゲン化オレフィン、ギ酸ビニル、酢酸ビニル、プロピオン酸ビニル、バーサチック酸ビニル等のビニルエステル、（メタ）アクリル酸、（メタ）アクリル酸メチル、（メタ）アクリル酸エチル、（メタ）アクリル酸ブチル、（メタ）アクリル酸２−エチルヘキシル、（メタ）アクリル酸ドデシル、（メタ）アクリル酸２−ヒドロキシエチル等の（メタ）アクリル酸エステル、（メタ）アクリル酸ジメチルアミノエチル及びこれらの四級化物、（メタ）アクリルアミド系単量体及びそのナトリウム塩、スチレン系単量体、Ｎ−ビニルピロリドン、ジエン単量体が挙げられる。これらの中では、エチレンが好ましい。
【００１６】
エチレン−酢酸ビニル共重合体エマルジョン（以下、ＥＶＡエマルジョンという）とは、ポリマーとして、エチレン−酢酸ビニル共重合体（以下、ＥＶＡという）を使用したエマルジョンをいう。ＥＶＡのポリマーのガラス転移温度は２０℃以下が好ましく、１０℃以下がより好ましい。ＥＶＡのポリマーのガラス転移温度は−５０℃以上が好ましく、−１０℃以上がより好ましい。
ＥＶＡの固形分濃度は、１０〜９０質量％が好ましく、２０〜８０質量％がより好ましく、４０〜７０質量％が最も好ましい。
【００１７】
ここでいうガラス転移とは、高温では液体であるガラス等の物質が温度降下により、ある温度範囲で急激にその粘度を増し、ほとんど流動性を失って非晶質固体になるという変化を指す。ガラス転移温度の測定方法としては特に限定はないが、一般に熱重量測定、示差走査熱量測定、示差熱測定、動的粘弾性測定より算出されたガラス転移温度を指す。これらの中では、動的粘弾性測定が好ましい。
【００１８】
ＥＶＡのポリマー組成は、エチレン／酢酸ビニル（質量比）＝（５〜４０）／（９５〜６０）が好ましく、（１０〜３０）／（７０〜９０）がより好ましい。ＥＶＡエマルジョンは、通常、液体で使用するが、粉末タイプの使用も可能である。
【００１９】
本実施形態は、アミノ酸、核酸及び糖のうちの１種以上（以下、「アミノ酸等」ということもある。）を使用する。これらの中では、アミノ酸及び核酸のうちの１種以上が好ましく、アミノ酸がより好ましい。
【００２０】
本実施形態に使用するアミノ酸は、有機肥料の原料として使用されており、各種アミノ酸の混合物からなる。具体的には、動物由来のコラーゲン（特に皮革や、皮下脂肪組織の脱脂品）を高温高圧にて分解し、アミノ酸、ペプタイドに加工したもの；動物由来のケラチン（例えば羊毛短繊維や羽毛）を高温高圧にて分解し、アミノ酸、ペプタイドに加工したもの；小麦グルテン、とうもろこしグルテン、脱脂大豆等の植物タンパク質を加水分解して、グルタミン酸を主体とする調味液を抽出する際に産するアミノ酸等が挙げられる。以上を１種以上使用してもよい。これについては、固形物でもよいし水溶液でもよい。本実施形態に使用するアミノ酸は、アミノ酸肥料として販売されているものを使用できる。
核酸としては、アデニン、ウラシル等が用いられる。
糖としては、キシリトール、フラクトース、マンニット等が用いられる。
【００２１】
アミノ酸、核酸、糖の固形分濃度は、合計で５〜９５質量％が好ましく、１０〜７０質量％がより好ましく、２０〜５０質量％が最も好ましい。
【００２２】
アミノ酸、核酸、糖の窒素量（窒素含有量）は、合計で０．５〜１５質量％が好ましく、１〜８質量％がより好ましく、２〜５質量％が最も好ましい。
窒素量の測定方法としては特に限定はないが、ケルダール法が好ましい。ケルダール法としては、肥料分析法（農林水産省農業環境技術研究所法）の硫酸法が好ましい。
【００２３】
本実施形態は、ポリビニルアルコール（ＰＶＡ）を使用してもよい。本実施形態のポリビニルアルコール（ＰＶＡ）は、例えば、水溶性エマルジョンの分散剤として用いられる。ＰＶＡの平均重合度は、１００〜４０００が好ましく、１０００〜３５００がより好ましく、２０００〜３０００が最も好ましい。ＰＶＡは、平均重合度が大きいほど乳化分散力が高まるので、所望の分散性を有するエマルジョンが得られるように、適切な平均重合度を有するポリビニルアルコールを使用すればよい。ポリビニルアルコールのケン化度は、水溶性を向上する点で、７０％以上が好ましく、８０〜９５％がより好ましい。ここでいうＰＶＡの平均重合度やケン化度は、ＪＩＳ  Ｋ  ６７２６に準ずる方法で測定される値である。
【００２４】
各成分の使用量は、下記の通りである。
合成樹脂エマルジョン及びアミノ酸を含有する土壌流出防止材である場合や、合成樹脂エマルジョン、ポリビニルアルコール及びアミノ酸等を含有する土壌流出防止材である場合、アミノ酸等の使用量は、合成樹脂エマルジョン１００質量部（固形分）に対して、固形分換算で、０．００４〜３質量部が好ましく、０．００４〜１．０質量部がより好ましく、０．０４〜０.７質量部が最も好ましい。
【００２５】
ポリビニルアルコール及びアミノ酸等を含有する土壌流出防止材である場合（特に合成樹脂エマルジョンを使用しない場合）、アミノ酸等の使用量は、ポリビニルアルコール１００質量部（固形分）に対して、固形分換算で、０．００１〜０．３質量部が好ましく、０．００４〜１質量部がより好ましく、０．０４〜０.７質量部が最も好ましい。
【００２６】
合成樹脂エマルジョン、ポリビニルアルコール及びアミノ酸等を含有する土壌流出防止材である場合、ＰＶＡの使用量は、合成樹脂エマルジョン１００質量部（固形分）に対して、固形分換算で、０．５〜２０質量部が好ましく、１〜１０質量部がより好ましい。
【００２７】
合成樹脂エマルジョン、ポリビニルアルコール及びアミノ酸等を含有する土壌流出防止材である場合、土壌流出防止材（固形分）１００質量％中における、合成樹脂エマルジョン、ポリビニルアルコール及びアミノ酸等の含有量は、以下の通りである。合成樹脂エマルジョンの含有量は、８０〜９８．５質量％が好ましく、９３〜９８質量％がより好ましい。ポリビニルアルコールの含有量は、０．３〜２０質量％が好ましく、２〜７質量％がより好ましい。アミノ酸等の含有量は、０．００２〜２質量％が好ましく、０．２〜１質量％がより好ましい。
【００２８】
土壌流出防止材は水で希釈して使用する。水で希釈した場合、土壌流出防止材の固形分濃度は、５〜４５質量％が好ましく、５〜２０質量％がより好ましい。固形分濃度を５質量％以上にすると、効果が大きくなる。固形分濃度を４５質量％以下にすると、粘度が低くなり、土壌流出防止材を容易に撒布できる。
【００２９】
本実施形態の土壌流出防止材の使用方法について説明する。土壌流出防止材は、保護すべき土壌に対して単独で使用してもよく、種子や肥料等を混合した土壌に混合して使用してもよい。土壌流出防止材を対象面に使用する方法に特に制限はなく、例えば、散布や吹付等を挙げることができる。
【００３０】
土壌流出防止材の使用量（固形分）は、圃場１ｍ２当たり、２００〜５０００ｇ／ｍ２が好ましく、３００〜１０００ｇ／ｍ２がより好ましい。
【００３１】
本実施形態は、土壌が赤土である場合、優れた効果を有する。例えば、沖縄等の亜熱帯の島々では、強い降雨により、工事現場や農地等の赤土壌が侵食されて河川や海洋に流出し、水質環境へ悪影響を与えるおそれがあった。
本実施形態は、赤土の流出を防止することにより、河川や海洋の汚染を防止すると共に、植栽物の生育を保護し、厳しい気象条件下での耐久性、耐候性、施工性、土壌流出防止効果を向上できる。
【００３２】
例えば、赤土の物性が下記である場合、優れた効果を有する。下記である赤土としては、例えば、国頭マージ土が挙げられる。
【００３３】
赤土が酸性である場合。例えば、赤土のｐＨが４以上６以下である場合。
赤土が鉄分を多く含有する場合。例えば、酸化第二鉄の含有量が、５質量％以上１５質量％以下である場合。
赤土がアルミニウム分を多く含有する場合。例えば、酸化アルミニウムの含有量が、１０質量％以上２０質量％以下である場合。
【実施例】
【００３４】
以下、本実施形態の実験例に基づいて説明する。以下の実験例で言う「圃場」は断りがない限り、実験例を説明するために設けた次の圃場を言う。概略は図１に示す。圃場１１とは傾斜３％、幅２．８ｍ、縦３０ｍの枠組みに、栽培のための土壌４を充填し、枠組み下部には降水１により流出水２を溜めることの出来る枡３が備え付けられている。流出水２は、圃場表層を流れる表層流水と、その水により流される土壌とを、含む。圃場の土壌４は、赤土（ｐＨ５、酸化第二鉄含有量８質量％、酸化アルミニウム含有量１８質量％）である。その圃場では、施工試験や土壌流出防止試験と同時に、サトウキビを栽培し、サトウキビの収穫量も試験した。
【００３５】
実施例１
合成樹脂エマルジョン１００質量部（固形分）、ＰＶＡ５質量部（固形分）、アミノ酸等０．２質量部（固形分）を混合し、得られた土壌流出防止材につき、以下に記載した試験を行い、その評価を表１に示した。ここで、合成樹脂エマルジョンはデンカＥＶＡテックス５０（固形分５５質量％、エチレン／酢酸ビニル（質量比）＝２０／８０、ガラス転移温度０℃、デンカ株式会社製）、ＰＶＡ水溶液はデンカポバールＢ−２４Ｎ（平均重合度２４００，ケン化度８８モル％、デンカ株式会社製）、アミノ酸水溶液は味の素ヘルシーサプライ（株）製のアミノ酸と核酸の両方を含有する肥料（アミハート、固形分濃度３５質量％、窒素量３．６質量％）を使用した。
【００３６】
［施工試験］
本実施形態の土壌流出防止材２５０ｇ（固形分）を水で８倍に希釈した。水で希釈した土壌流出防止材を５００ｇ／ｍ２（固形分）の割合で均等になるように、ジョウロで圃場に散布した。圃場の土壌は、赤土である。
◎：施工性良好（ジョウロから均質に土壌流出防止材が排水できる）
○：施工性やや良好（ジョウロから均質に土壌流出防止材が排水できない場合がある）
△：施工性不良（ジョウロから土壌流出防止材が排水するのが困難）
【００３７】
［土壌流出防止試験］
土壌含有量は、枡３の内部に流入した流出水２Ａを撹拌機で撹拌して均質にした後、１リットルのポリ瓶に採取し、「昭和４６年環境庁告示第５９号  付表９」に従い、測定した。
○：流出水の濁り薄い（流出水２Ａ中の土壌含有量が１００ｐｐｍ未満）
△：流出水の濁りやや濃い（流出水２Ａ中の土壌含有量が１００ｐｐｍ以上２００ｐｐｍ未満）
×：流出水の濁り濃い（流出水２Ａ中の土壌含有量が２００ｐｐｍ以上）
【００３８】
［サトウキビ収量試験］
圃場にサトウキビの苗を定植後、表１の組成を示す土壌流出防止材を水で８倍に希釈し、５００ｇ／ｍ２（固形分）の割合で均等になるように、ジョウロで圃場に散布した。収量指数は、土壌流出防止材不使用の慣行区の収量１００に対する収量として算出した。
○：サトウキビの生育・収量良好（土壌流出防止材不使用の慣行区に比べ収量指数が１０３以上）
△：サトウキビの生育・収量並み（土壌流出防止材不使用の慣行区に比べ収量指数が１０３未満９５以上）
×：サトウキビの生育・収量並み（土壌流出防止材不使用の慣行区に比べ収量指数が９５未満）
【００３９】
実施例２〜６
実施例２〜６は、土壌流出防止材の組成及び土壌流出防止材の散布量を、表１に示す量に変更したものである。これらの実施例についても、実施例１と同一の試験を行い、その評価結果を表１に示した。
【００４０】
比較例１
比較例１は、土壌流出防止材の組成及び土壌流出防止材の散布量を、表１に示したものに変更したものである。比較例１についても、実施例１と同一の試験を行い、その評価結果を表１に示した。
【００４１】
実施例７
実施例７は、土壌流出防止材の組成及び土壌流出防止材の散布量を、表１に示したものに変更したものである。実施例７についても、実施例１と同一の試験を行い、その評価結果を表１に示した。
【００４２】
【表１】
2020114890.tif 000003
【００４３】
実施例８
ＰＶＡ１００質量部（固形分）、アミノ酸等０．４質量部（固形分）混合し、得られた土壌流出防止材につき、実施例１と同一の試験を行い、その評価を表２に示した。実施例８は、合成樹脂エマルジョンは使用しなかった。
【００４４】
比較例２〜３
比較例２〜３は、土壌流出防止材の組成及び土壌流出防止材の散布量を、表２に示す量に変更したものである。これらの実施例についても、実施例８と同一の試験を行い、その評価結果を表２に示した。
【００４５】
【表２】
2020114890.tif 000004
【００４６】
実験例より、下記が認められる。
合成樹脂エマルジョン及びアミノ酸等を含有する本実施形態は、作物の収穫量を増大する（実施例１〜７と比較例１との対比）。合成樹脂エマルジョン及びアミノ酸等に加え、ＰＶＡを使用すると、施工性が大きくなり、土壌流出を防止する効果も向上する（実施例１〜６と実施例７との対比）。土壌流出防止材の使用量を３００〜１０００ｇ／ｍ２にすることにより、効果が大きくなる（実施例１〜４と実施例５〜６との対比）。
ポリビニルアルコール及びアミノ酸等を含有する本実施形態は、作物の収穫量を増大し、土壌流出を防止する効果を有する（実施例８と比較例２〜３との対比）。
【産業上の利用可能性】
【００４７】
本実施形態は、土壌流出防止材に関する。本発明は、例えば、作物の生育を促進し、土壌流出を防止する土壌流出防止材及び土壌の流出防止方法に関する。
本実施形態は、作物の収穫量を増大する。本実施形態は、植生の生育を促進する効果を有し、耐水性に優れ、土壌の流出を抑制し、透水を促す土壌流出防止材を提供できる。本実施形態は、耕作地の土壌流出防止や草勢の整っていない緑地の土壌流出防止に好適である。本実施形態は、耕作物の生育を促進し、生産量（収穫量）が増大することにより、耕作者の生産意欲を向上させる効果を奏するとともに、土壌流出を防止し、環境への負荷を低減できる。本実施形態は、土壌が赤土である場合、優れた効果を有する。
本実施形態の土壌流出防止材は土壌の流出を防止するだけではなく、農地での作物の生産性を向上する。
【符号の説明】
【００４８】
１    降水
２、２Ａ  流出水
３    枡
４    土壌
１１  圃場
【図１】
2020114890.tif 000005